(57)【要約】    【課題】  装飾による美観を長く維持し易くする。使い心地が悪くなり難くする。    【解決手段】  パイル織１の縦糸方向の両端に、それぞれ、ほつれ止めの平織り端部２を設けているタオルにおいて、片端又は両端の平織り端部２は、縦糸方向の幅を装飾付着用の幅にし、装飾付着用の幅にした平織り端部２に装飾６、７を付けている。タオルは、綿糸のパイル織１であり、両面にパイルが突出している両面タオルである。装飾６、７は、多数の装飾片を所望の形状に配列して接着している。【選択図】  図１
0003124601.tif 000002
【実用新案登録請求の範囲】
【請求項１】
パイル織の縦糸方向の両端に、それぞれ、ほつれ止めの平織り端部を設けているタオルにおいて、
片端又は両端の平織り端部は、縦糸方向の幅を装飾付着用の幅にし、装飾付着用の幅にした平織り端部に装飾を付けていることを特徴とする装飾タオル。
【請求項２】
タオルは、綿糸のパイル織であり、両面にパイルが突出している両面タオルであることを特徴とする請求項１に記載の装飾タオル。
【請求項３】
装飾は、多数の装飾片を所望の形状に配列して接着していることを特徴とする請求項１又は２に記載の装飾タオル。
【考案の詳細な説明】
【技術分野】
【０００１】
本考案は、装飾を付したパイル織のタオルに関する。
【背景技術】
【０００２】
人の手などを拭くタオルは、代表例が綿糸をパイル織した布であり、パイル面に多数のパイル、糸の輪が突出している。パイル面は、吸水性と肌触りに優れている。しかし、パイル面は、装飾の図形や文字を接着し難いし、熱転写し難い。また、捺染し難い。
【０００３】
特許文献１のタオルは、片面のみにパイルが突出している片面タオルである。パイルがない片面、無パイル面には、装飾の柄を捺染している。
【０００４】
特許文献２のタオルは、両面にパイルが突出している両面タオルである。片面のパイル面には、パイルがない被転写部を設け、無パイル面の被転写部に装飾の図柄を熱転写している。
【０００５】
【特許文献１】登録実用新案第３０６５５０８号公報
【特許文献２】登録実用新案第３０１８６４９号公報
【考案の開示】
【考案が解決しようとする課題】
【０００６】
［背景技術の課題］
タオルは、中央部分が主に使用され、中央部分が人の手などの使用対象と頻繁に接触する。タオルの周縁部分は、使用対象と接触することが少ない。
【０００７】
ところが、特許文献１、２のタオルは、周縁部分ではなく、中央部分の無パイル面に装飾を付している。
【０００８】
従って、タオルの中央部分の無パイル面が人の手などの使用対象と頻繁に接触することになる。無パイル面は、パイル面に比べて、吸水性が劣り、肌触りが悪い。タオルは、使い心地が良くない。
【０００９】
また、タオルの中央部分の装飾が使用対象と頻繁に擦れることになる。装飾は、剥がれ易いし、汚れ易い。タオルは、装飾による美観を長く維持し難い。
【００１０】
［課題を解決するための着想］
タオルは、一般に、パイル織の縦糸方向の両端にそれぞれ平織りの端部を設け、両端の平織り端部をそれぞれ途中で折り返し、折り返し部分を非折り返し部分に糸で横糸方向に沿って縫い付けている。即ち、縦糸方向の両端には、糸のほつれ止めのため、平織り端部を設けている。この平織り端部は、タオルの周縁部分であって、使用時に使用対象と接触することが少ない。その上、平織り端部の表面又は裏面は、無パイル面であって、装飾を付け易い。ところが、ほつれ止めの平織り端部は、縦糸方向の幅が狭く、装飾を付ける広さがない。そこで、タオルの平織り端部は、縦糸方向の幅を装飾付着用に広くし、幅広にした表面又は裏面に装飾を付けることにした。
【００１１】
装飾には、図形、文字、記号や模様が例示される。装飾の付け方には、接着、熱転写や捺染が例示される。
【００１２】
タオルには、お絞りタオル、手拭きタオル、顔拭きタオル、髪拭きタオル、湯上りタオルやダスタータオルが例示される。代表例は、綿パイル織の両面タオルであり、手拭き用のお絞りタオルである。
【課題を解決するための手段】
【００１３】
１）パイル織の縦糸方向の両端に、それぞれ、ほつれ止めの平織り端部を設けているタオルにおいて、
片端又は両端の平織り端部は、縦糸方向の幅を装飾付着用の幅にし、装飾付着用の幅にした平織り端部に装飾を付けていることを特徴とする装飾タオル。
２）上記の装飾タオルにおいて、
タオルは、綿糸のパイル織であり、両面にパイルが突出している両面タオルであることを特徴とする。
３）上記の装飾タオルにおいて、
装飾は、多数の装飾片を所望の形状に配列して接着していることを特徴とする。
【考案の効果】
【００１４】
この装飾タオルは、平織り端部に装飾を付けている。装飾は、タオル使用時に使用対象と接触することが少ない位置にあり、剥がれ難く、汚れ難い。装飾による美観を長く維持し易い。その上、装飾を付ける場所は、パイルがなく、装飾を付け易い。
【００１５】
また、装飾タオルは、使用時に使用対象と頻繁に接触する中央部分に、装飾付着用の無パイル面を設ける必要がなく、吸水性や肌触りが悪くなり難い。装飾のために使い心地が悪くなり難い。
【考案を実施するための最良の形態】
【００１６】
実施形態の装飾タオルは、綿糸のパイル織であり、両面にパイルが突出している両面タオルである。また、手拭き用のお絞りタオルである。
【００１７】
この装飾タオルは、図１と図２に示すように、パイルが両面に突出しているパイル織部１と、パイルが突出していない平織りの端部２からなる。綿糸のパイル織部１は、縦糸方向の両端にそれぞれ綿糸の平織りの端部２を設けている。両端の平織り端部２は、それぞれ、縦糸方向の中間位置で裏側に折り返して二つ折りにし、折り返し部分を非折り返し部分に綿糸３で横糸方向に沿って縫い付けている。即ち、縦糸方向の両端には、ほつれ止めの二つ折りの平織り端部２を設けている。両端の平織り端部２は、それぞれ、縦糸方向の幅を装飾付着用の幅、幅広にしている。
【００１８】
片端の平織り端部２は、図１〜図３に示すように、表面に図形の装飾６と文字の装飾７を付けている。図形の装飾６は、図３に示すように、多数の小径円盤形状の装飾片を折れ線状に配列して、富士山の絵を表す図形を構成している。文字の装飾７は、多数の小径円盤形状の装飾片をローマ字状に配列して、法人の名称の略称を表すローマ字のFujishoを構成している。
【００１９】
小径円盤形状の装飾片は、ガラス片、金属片や合成樹脂片である。ビーズとかスパンコールとか言われることもある。これらのガラス片、金属片や合成樹脂片は、裏面にホットメルト接着剤が塗布されている。
【００２０】
タオルの平織り端部２に装飾６、７を付けるときには、平織り端部２を水平に配置し、多数の小径円盤形状の装飾片を所望の形状に配列して平織り端部２の表面に載せ、平織り端部２上の装飾片をその表面側から加熱加圧する。すると、装飾片裏面のホットメルト接着剤は、溶融し、溶融状態で平織り端部２に押し付けられる。加熱加圧用の時間の経過後、装飾片付きのタオルは室内に放置する。すると、装飾片と平織り端部２の間の溶融したホットメルト接着剤が冷却して固化する。装飾片は、平織り端部２に接着して固定される。
【００２１】
平織り端部２を構成している糸は、綿糸であり、化学繊維の糸に比べて、耐熱性に優れている。ホットメルト接着剤は、溶融温度が高いものを使用することができる。装飾６、７は、多数の装飾片を点線状に所望の形状に配列して構成しており、一枚の所望形状の装飾片で構成するものに比べて、平織り端部２の装飾６、７付着部分の曲がり易さを妨げ難い。
【００２２】
装飾タオルの寸法は、実施例では、縦糸方向の長さが３５〜４０ｃｍ、横糸方向の長さが３０〜３５ｃｍで、平織り端部２の縦糸方向の幅が２〜３ｃｍである。なお、ほつれ止め用のみの通常の平織り端部は、縦糸方向の幅が１ｃｍ位である。
【００２３】
［変形例］
１）上記の実施形態において、装飾タオルは、両面タオルであるが、片面タオルにする。
２）上記の実施形態において、装飾タオルは、お絞りタオルであり、手拭きタオルであるが、顔拭きタオル、髪拭きタオル、湯上りタオル又はダスタータオルにする。
３）上記の実施形態において、パイル織部１と平織り端部２は、綿糸の織物であるが、その他の天然繊維糸の織物又は化学繊維糸の織物にする。
４）上記の実施形態において、平織り端部２は、折り返して二つ折りにしているが、折り返ししない。
５）上記の実施形態において、装飾を付けない平織り端部２は、装飾６、７を付ける平織り端部２と同様に装飾付着用の幅、幅広にしているが、ほつれ止め用のみの通常の狭い幅にする。
６）上記の実施形態において、装飾６、７付着場所は、タオルの片端の平織り端部２の表面であるが、両端の平織り端部又は平織り端部２の裏面にする。
７）上記の実施形態において、装飾６、７は、図形と文字であるが、記号や模様にする。
８）上記の実施形態において、装飾６、７は、接着しているが、転写紙を用いて熱転写する。又は、型紙を用いて捺染する。
【図面の簡単な説明】
【００２４】
【図１】本考案の実施形態における装飾タオルの正面図。
【図２】図１のＡ−Ａ線断面図。
【図３】図１の装飾タオル左下の装飾付着部分の拡大正面図。
【符号の説明】
【００２５】
１  パイル織部
２  平織りの端部、二つ折りの平織り端部
３  綿糸
６  図形の装飾
７  文字の装飾
６、７  装飾
【図１】
0003124601.tif 000003
【図２】
0003124601.tif 000004
【図３】
0003124601.tif 000005